(57)【要約】【課題】店舗の営業時間中にレジが釣銭不足となるような場合に、レジにおいて精算処理ができない時間を短くしつつ、適正な金額の釣銭補充金を効率良く釣銭機に補充すること。【解決手段】釣銭機２００は、補充すべき釣銭の金種と数量を釣銭補充金データとしてＩＣタグ３０４ａに書き込む（１）。ＩＣタグ３０４ａは店員に運ばれて貨幣入出金機１００の場所まで移動する（２）。貨幣入出金機１００は、ＩＣタグ３０４ａから釣銭補充金データを読み取り（３）、釣銭補充金データに示された釣銭補充金を収納カセット３００ａに収納する（４）。収納カセット３００ａは店員に運ばれて釣銭機２００の場所に移動する（５）。その後、釣銭機２００に装着されていた収納カセット３００ｂを取外し（６）、収納カセット３００ａを装着する（７）。釣銭機２００は、装着された収納カセット３００ａから釣銭補充金を繰り出して収納することで、釣銭の補充を行う。【選択図】図１
2017220073.tif 000002
【特許請求の範囲】
【請求項１】
商品の精算処理に応じて貨幣の収納処理及び釣銭となる貨幣の払出処理を行う釣銭機と、前記釣銭機に対して店舗の営業時間中に不足する釣銭を補充するための釣銭補充金を出金処理する貨幣処理装置とを有する貨幣処理システムであって、
前記貨幣処理装置は、
貨幣の収納及び貨幣の繰り出しが可能な第１の貨幣収納部と、
複数の釣銭機に着脱可能な代理貨幣カセットを装着する第１の装着部と、
所定の操作に応答して、前記第１の貨幣収納部内の前記釣銭補充金をなす貨幣を前記第１の装着部に装着された代理貨幣カセットに収納するよう制御する第１の制御部とを備え、
前記釣銭機は、
貨幣の収納及び貨幣の繰り出しが可能な第２の貨幣収納部と、
自装置に対応する貨幣カセット又は前記代理貨幣カセットを装着可能な第２の装着部と、
前記第２の装着部に対して前記代理貨幣カセットが装着され、所定の操作がなされたことを条件として、前記代理貨幣カセットに収納された貨幣を前記第２の貨幣収納部に収納するよう制御する第２の制御部とを備えた
ことを特徴とする貨幣処理システム。
【請求項２】
前記釣銭機は、
操作者が所持する記憶媒体に対して釣銭補充金に係る情報を書き込む書込部をさらに備え、
前記貨幣処理装置は、
少なくとも前記記憶媒体から釣銭補充金に係る情報を読み取るリーダライタ部をさらに備え、
前記第１の制御部は、
所定の操作に応答して、前記リーダライタ部により読み取られた釣銭補充金に係る情報により特定される釣銭補充金となる金種ごとの貨幣の枚数を前記第１の貨幣収納部から繰り出して前記第１の装着部に装着された代理貨幣カセットに収納するよう制御する
ことを特徴とする請求項１に記載の貨幣処理システム。
【請求項３】
前記釣銭機は、
店舗の営業時間中における貨幣の補充条件に応じた基準貨幣量と前記第２の貨幣収納部に所在する貨幣の在高とから釣銭補充金となる貨幣の金種ごとの枚数を特定する特定部をさらに備え、
前記書込部は、
前記特定部により特定された釣銭補充金となる貨幣の金種ごとの枚数を前記釣銭補充金に係る情報として前記記憶媒体に書き込む
ことを特徴とする請求項２に記載の貨幣処理システム。
【請求項４】
前記書込部は、
前記第２の貨幣収納部に所在する貨幣の在高を前記釣銭補充金に係る情報として前記記憶媒体に書き込み、
前記貨幣処理装置は、
店舗の営業時間中における貨幣の補充条件に応じた基準貨幣量と前記記憶媒体から読み出された貨幣の在高とから釣銭補充金となる貨幣の金種ごとの枚数を特定する特定部をさらに備えた
ことを特徴とする請求項２に記載の貨幣処理システム。
【請求項５】
前記第１の制御部は、
所定の操作に応答して、前記第１の貨幣収納部内の前記釣銭補充金をなす貨幣を前記第１の装着部に装着された代理貨幣カセットに収納したことを条件として、前記リーダライタ部により前記記憶媒体に記憶された釣銭補充金に係る情報を消去するよう制御する
ことを特徴とする請求項２〜４のいずれか一つに記載の貨幣処理システム。
【請求項６】
前記書込部は、
前記釣銭補充金に係る情報を書込時刻とともに前記記憶媒体に対して書き込み、
前記第１の制御部は、
前記リーダライタ部により前記書込時刻が読み出された第１の時刻が、前記記憶媒体に書き込まれた書込時刻に所定の時間を加えた第２の時刻よりも前であることを条件として、所定の操作に応答して、前記リーダライタ部により読み取られた釣銭補充金に係る情報により特定される釣銭補充金となる金種ごとの貨幣の枚数を前記第１の貨幣収納部から繰り出して前記第１の装着部に装着された代理貨幣カセットに収納するよう制御する
ことを特徴とする請求項２〜５のいずれか一つに記載の貨幣処理システム。
【請求項７】
商品の精算処理に応じて貨幣の収納処理及び釣銭となる貨幣の払出処理を行う釣銭機と、前記釣銭機に対して店舗の営業時間中に不足する釣銭を補充するための釣銭補充金を出金処理する貨幣処理装置とを有する貨幣処理システムにおける釣銭補充方法であって、
前記貨幣処理装置が、所定の操作に応答して、自装置の貨幣収納部内の釣銭補充金をなす貨幣を自装置の装着部に装着された代理貨幣カセットに収納するよう制御する第１の制御工程と、
前記釣銭機が、自装置の装着部に対して代理貨幣カセットが装着され、所定の操作がなされたことを条件として、前記代理貨幣カセットに収納された貨幣を自装置の貨幣収納部に収納するよう制御する第２の制御工程と
を含んだことを特徴とする釣銭補充方法。
【発明の詳細な説明】
【技術分野】
【０００１】
この発明は、店舗の営業時間中にレジが釣銭不足となるような場合に、レジにおいて精算処理ができない時間を短くしつつ、適正な金額の釣銭補充金を効率良く釣銭機に補充することができる貨幣処理システム及び釣銭補充方法に関する。
【背景技術】
【０００２】
スーパーマーケットやコンビニエンスストア等の商業施設の店舗には、商品棚が設置されるフロント領域と、顧客が立ち入ることができないバックヤード領域が存在する。
【０００３】
そして、フロント領域の精算所（以下、単に「レジ」と言う）には、ＰＯＳ（Point Of Sales）端末及び釣銭機が設置され、商品と引き換えに顧客からレジ担当者に手渡された貨幣の入金処理を行うとともに、釣銭としての貨幣の出金処理を行っている。一方、店舗のバックヤード領域には、貨幣入出金機が設置され、この貨幣入出金機を用いて、釣銭機から回収された売上金としての貨幣を入金処理し、釣銭機に準備されるべき釣銭準備金としての貨幣を出金処理する。
【０００４】
従来、かかる釣銭機及び貨幣入出金機を組み合わせた各種の貨幣処理システムが知られている。例えば、特許文献１には、少なくとも１台の釣銭機と、釣銭機から回収された貨幣の入金処理を行う貨幣入出金機（現金処理装置）と、釣銭機に保有された金種毎の釣銭用貨幣の在高枚数情報、釣銭機における金種毎の釣銭必要枚数情報及び貨幣入出金機における入金額情報を管理する現金データ管理装置とを備えた現金管理システムが開示されている。
【０００５】
かかる特許文献１によれば、現金データ管理装置が、釣銭機から送信される在高データにより、該釣銭機に準備されるべき釣銭準備金の金種毎の枚数に係る情報を貨幣入出金機に通知し、貨幣入出金機は、現金データ管理装置から通知された情報に基づいて釣銭準備金を出金する。
【０００６】
また、釣銭機から売上金としての貨幣が回収される際に、現金データ管理装置は、釣銭機における貨幣の在高と、必要な釣銭明細（すなわち、釣銭機に釣銭として残置されるべき貨幣の金種毎の枚数に係る情報）とに基づいて、釣銭機から回収されるべき貨幣の金種毎の枚数や金額等を算出し、算出された情報を釣銭機に通知するよう構成されており、釣銭機は、現金データ管理装置から通知された情報に基づいて回収されるべき貨幣を出金する。
【先行技術文献】
【特許文献】
【０００７】
【特許文献１】特許第５１２５１３６号
【発明の概要】
【発明が解決しようとする課題】
【０００８】
しかしながら、この特許文献１のものは、売上金を回収するタイミングで釣銭準備金を準備する場合には有効であるが、実際のレジでは、開店前に予め準備した釣銭準備金では賄うことができず、店舗の営業時間中にレジが釣銭不足になる状況が生ずる。
【０００９】
かかる場合に、レジ担当者は、釣銭機から収納カセットを取り外し、取り外した収納カセットを持参して貨幣入出金機の場所に移動し、収納カセットを貨幣入出金機に装着する。その後、レジ担当者は、必要となる釣銭補充金の枚数を貨幣入出金機の操作表示部に手入力し、該当する釣銭補充金を収納カセットに移行させた後に、この収納カセットを取り外してレジに移動し、釣銭機に収納カセットを装着して釣銭補充金を補充する作業を行うことになる。
【００１０】
ところが、レジ担当者によって釣銭補充金を手入力させることとすると、レジ担当者の入力誤りによって意図しない金額の釣銭補充金が釣銭機に装填されてしまうという問題がある。また、釣銭補充金を補充するまでの間、店舗が営業時間中であるにも関わらず、該当するレジを閉鎖せざるを得ず、店舗における効率的な精算処理の阻害要因になるという問題もある。
【００１１】
これらのことから、店舗の営業時間中にレジが釣銭不足となるような場合に、レジにおいて精算処理ができない時間を短くしつつ、適正な金額の釣銭補充金をいかに効率良く釣銭機に補充するかが重要な課題となっている。
【００１２】
本発明は、かかる課題を解決するためになされたものであって、店舗の営業時間中にレジが釣銭不足となるような場合に、レジにおいて精算処理ができない時間を短くしつつ、適正な金額の釣銭補充金を効率良く釣銭機に補充することができる貨幣処理システム及び釣銭補充方法を提供することを目的とする。
【課題を解決するための手段】
【００１３】
上述した課題を解決し、目的を達成するため、本発明は、商品の精算処理に応じて貨幣の収納処理及び釣銭となる貨幣の払出処理を行う釣銭機と、前記釣銭機に対して店舗の営業時間中に不足する釣銭を補充するための釣銭補充金を出金処理する貨幣処理装置とを有する貨幣処理システムであって、前記貨幣処理装置は、貨幣の収納及び貨幣の繰り出しが可能な第１の貨幣収納部と、複数の釣銭機に着脱可能な代理貨幣カセットを装着する第１の装着部と、所定の操作に応答して、前記第１の貨幣収納部内の前記釣銭補充金をなす貨幣を前記第１の装着部に装着された代理貨幣カセットに収納するよう制御する第１の制御部とを備え、前記釣銭機は、貨幣の収納及び貨幣の繰り出しが可能な第２の貨幣収納部と、自装置に対応する貨幣カセット又は前記代理貨幣カセットを装着可能な第２の装着部と、前記第２の装着部に対して前記代理貨幣カセットが装着され、所定の操作がなされたことを条件として、前記代理貨幣カセットに収納された貨幣を前記第２の貨幣収納部に収納するよう制御する第２の制御部とを備えたことを特徴とする。
【００１４】
また、本発明は、上記の発明において、前記釣銭機は、操作者が所持する記憶媒体に対して釣銭補充金に係る情報を書き込む書込部をさらに備え、前記貨幣処理装置は、少なくとも前記記憶媒体から釣銭補充金に係る情報を読み取るリーダライタ部をさらに備え、前記第１の制御部は、所定の操作に応答して、前記リーダライタ部により読み取られた釣銭補充金に係る情報により特定される釣銭補充金となる金種ごとの貨幣の枚数を前記第１の貨幣収納部から繰り出して前記第１の装着部に装着された代理貨幣カセットに収納するよう制御することを特徴とする。
【００１５】
また、本発明は、上記の発明において、前記釣銭機は、店舗の営業時間中における貨幣の補充条件に応じた基準貨幣量と前記第２の貨幣収納部に所在する貨幣の在高とから釣銭補充金となる貨幣の金種ごとの枚数を特定する特定部をさらに備え、前記書込部は、前記特定部により特定された釣銭補充金となる貨幣の金種ごとの枚数を前記釣銭補充金に係る情報として前記記憶媒体に書き込むことを特徴とする。
【００１６】
また、本発明は、上記の発明において、前記書込部は、前記第２の貨幣収納部に所在する貨幣の在高を前記釣銭補充金に係る情報として前記記憶媒体に書き込み、前記貨幣処理装置は、店舗の営業時間中における貨幣の補充条件に応じた基準貨幣量と前記記憶媒体から読み出された貨幣の在高とから釣銭補充金となる貨幣の金種ごとの枚数を特定する特定部をさらに備えたことを特徴とする。
【００１７】
また、本発明は、上記の発明において、前記第１の制御部は、所定の操作に応答して、前記第１の貨幣収納部内の前記釣銭補充金をなす貨幣を前記第１の装着部に装着された代理貨幣カセットに収納したことを条件として、前記リーダライタ部により前記記憶媒体に記憶された釣銭補充金に係る情報を消去するよう制御することを特徴とする。
【００１８】
また、本発明は、上記の発明において、前記書込部は、前記釣銭補充金に係る情報を書込時刻とともに前記記憶媒体に対して書き込み、前記第１の制御部は、前記リーダライタ部により前記書込時刻が読み出された第１の時刻が、前記記憶媒体に書き込まれた書込時刻に所定の時間を加えた第２の時刻よりも前であることを条件として、所定の操作に応答して、前記リーダライタ部により読み取られた釣銭補充金に係る情報により特定される釣銭補充金となる金種ごとの貨幣の枚数を前記第１の貨幣収納部から繰り出して前記第１の装着部に装着された代理貨幣カセットに収納するよう制御することを特徴とする。
【００１９】
また、本発明は、商品の精算処理に応じて貨幣の収納処理及び釣銭となる貨幣の払出処理を行う釣銭機と、前記釣銭機に対して店舗の営業時間中に不足する釣銭を補充するための釣銭補充金を出金処理する貨幣処理装置とを有する貨幣処理システムにおける釣銭補充方法であって、前記貨幣処理装置が、所定の操作に応答して、自装置の貨幣収納部内の釣銭補充金をなす貨幣を自装置の装着部に装着された代理貨幣カセットに収納するよう制御する第１の制御工程と、前記釣銭機が、自装置の装着部に対して代理貨幣カセットが装着され、所定の操作がなされたことを条件として、前記代理貨幣カセットに収納された貨幣を自装置の貨幣収納部に収納するよう制御する第２の制御工程とを含んだことを特徴とする。
【発明の効果】
【００２０】
本発明によれば、店舗の営業時間中にレジが釣銭不足となるような場合に、レジにおいて精算処理ができない時間を短くしつつ、適正な金額の釣銭補充金を効率良く釣銭機に補充することができる。
【図面の簡単な説明】
【００２１】
【図１】図１は、本実施例に係る貨幣処理システムの概念を説明するための説明図である。
【図２】図２は、本実施例に係る貨幣処理システムの構成を示す構成図である。
【図３】図３は、図２に示した貨幣入出金機の外観を示す斜視図である。
【図４】図４は、図３に示した貨幣入出金機における紙幣処理ユニットの内部構成を示す図である。
【図５】図５は、図３に示した貨幣入出金機における硬貨処理ユニットの内部構成を示す図である。
【図６】図６は、図３に示した包装硬貨収納ユニットの引出部の構成を示す斜視図である。
【図７】図７は、図３に示した貨幣入出金機の機能ブロック図である。
【図８】図８は、権限管理データの一例を説明するための説明図である。
【図９】図９は、図２に示す貨幣処理システムにおける釣銭機及びＰＯＳレジスタの外観を示す斜視図である。
【図１０】図１０は、図９に示した釣銭機における紙幣処理ユニットの内部構成を示す図である。
【図１１】図１１は、図９に示した釣銭機における硬貨処理ユニットの内部構成を示す図である。
【図１２】図１２は、図９に示した釣銭機における包装硬貨収納ユニットの構成を示す図である。
【図１３】図１３は、図９に示した釣銭機及びＰＯＳレジスタの機能ブロック図である。
【図１４】図１４は、図１に示した収納カセットの外観を示す斜視図である。
【図１５】図１５は、貨幣処理システムにおける釣銭補充の処理手順を示すフローチャートである。
【図１６】図１６は、貨幣入出金機が釣銭補充金を特定する構成の説明図である。
【図１７】図１７は、貨幣入出金機に釣銭補充金データを送信する構成の説明図である。
【発明を実施するための形態】
【００２２】
以下、添付図面を参照して、本発明に係る貨幣処理システム及び釣銭補充方法の好適な実施例を詳細に説明する。
【実施例】
【００２３】
＜貨幣処理システムの概念＞
まず、本実施例に係る貨幣処理システムの概念について説明する。図１は、本実施例に係る貨幣処理システムの概念を説明するための説明図である。図１に示すように、この貨幣処理システムは、釣銭機２００と貨幣入出金機１００とを有する。
【００２４】
釣銭機２００は、スーパーマーケットやコンビニエンスストア等の商業施設の店舗において、商品棚が設置されるフロント領域のレジに設置され、商品と引き換えに顧客からレジ担当者に手渡された貨幣の入金処理を行うとともに、釣銭としての貨幣の出金処理を行う装置である。
【００２５】
貨幣入出金機１００は、店舗のバックヤード領域に設置され、釣銭機２００から回収された売上金の入金処理を行うとともに、釣銭機２００に補充されるべき釣銭補充金の出金処理を行う貨幣処理装置である。
【００２６】
釣銭機２００及び貨幣入出金機１００は、それぞれ収納カセット３００を装着することが可能である。担当者が釣銭機２００から売上金を回収する場合には、釣銭機２００が収納カセット３００に売上金を収納した後、収納カセット３００を取り外し、取り外した収納カセット３００を担当者が持参して貨幣入出金機１００の場所に移動する。その後、収納カセット３００を貨幣入出金機１００に装着すると、貨幣入出金機１００が収納カセット３００から貨幣を繰り出して入金処理する。また、釣銭機２００に釣銭補充金を補充する場合には、貨幣入出金機１００が収納カセット３００に釣銭補充金としての貨幣を収納した後、収納カセット３００を取り外し、取り外した収納カセット３００を担当者が持参して釣銭機２００の場所に移動する。その後、収納カセット３００を釣銭機２００に装着すると、釣銭機２００が収納カセット３００から貨幣を繰り出して入金処理する。
【００２７】
ここで、収納カセット３００を装着せずに釣銭機２００を使用することは好ましくないため、収納カセット３００を取り外した状態では釣銭機２００の稼働を停止し、レジが利用できなくなる。そこで、本実施例に係る貨幣処理システムでは、釣銭機２００に収納カセット３００を装着したまま、貨幣入出金機１００が予備の収納カセット３００に釣銭補充金を収納できるようにしている。以下では、説明の便宜上、釣銭機２００に装着中の収納カセット３００を収納カセット３００ｂ、予備の収納カセット３００を収納カセット３００ａとして説明を行う。
【００２８】
釣銭機２００は、自装置の内部に収納した金種ごとの在高を管理しており、釣銭用の貨幣が不足する場合に、釣銭の補充を行う。かかる釣銭の補充において、釣銭機２００は、まず、金種ごとの在高から補充すべき釣銭の金種と数量を特定し、釣銭補充金データとしてＩＣタグ３０４ａに書き込む（１）。ＩＣタグ３０４ａは、店員のＩＤカードなどに付設すればよい。
【００２９】
店員は、釣銭補充金データが書き込まれたＩＣタグ３０４ａを持参して貨幣入出金機１００の場所に移動する（２）。貨幣入出金機１００は、ＩＣタグ３０４ａから釣銭補充金データを読み取り（３）、釣銭補充金データに示された金種及び数量の貨幣を釣銭補充金として収納カセット３００ａに収納する（４）。ここで、収納カセット３００ａは、予備として用いるため、貨幣処理システムに含まれる複数の釣銭機２００のいずれにも装着可能である。
【００３０】
店員は、釣銭補充金が収納された収納カセット３００ａを貨幣入出金機１００から取り外し、取り外した収納カセット３００ａを持参して釣銭機２００の場所に移動する（５）。その後、店員は、釣銭機２００に装着されていた収納カセット３００ｂを取外し（６）、収納カセット３００ａを装着する（７）ことで収納カセット３００の交換を行う。釣銭機２００は、装着された収納カセット３００ａから釣銭補充金を繰り出して収納することで、釣銭の補充を行う。
【００３１】
釣銭機２００は、自装置に対応付けられた収納カセット３００ｂに加え、予備の収納カセット３００ａを装着可能であるため、自装置用の釣銭補充金を貨幣入出金機１００が予備の収納カセット３００ａに収納すれば、自装置に対応付けられた収納カセット３００ｂと予備の収納カセット３００ａとを交換することで釣銭の補充を行うことができる。すなわち、予備の収納カセット３００ａは、釣銭機２００に対応付けられた収納カセット３００ｂの代理として釣銭補充金を収納することになる。そして、釣銭機２００は、釣銭補充金が収納された収納カセット３００ａが到着するまで収納カセット３００ｂを装着した状態を維持するので、釣銭機２００の稼働が停止する時間を最小限に抑えることができる。
【００３２】
このように、本実施例に係る貨幣処理システムでは、釣銭機２００が釣銭補充金データをＩＣタグ３０４ａに書き込み、貨幣入出金機１００がＩＣタグ３０４ａから読み取った釣銭補充金データに応じて釣銭補充金を収納カセット３００ａに収納し、収納カセット３００ａと釣銭機２００の内部の収納カセット３００ｂとを交換することで釣銭の補充を行う。このため、店舗の営業時間中にレジが釣銭不足となるような場合に、レジにおいて精算処理ができない時間を短くしつつ、適正な金額の釣銭補充金を効率よく釣銭機２００に補充することができる。
【００３３】
また、釣銭補充金を収納カセット３００ａに収納して店員に持参させるため、店員が貨幣に触れることなく釣銭の補充を行うことができ、店員のミスや不正を防止することができる。
【００３４】
＜貨幣処理システムの構成＞
次に、貨幣処理システムの構成について説明する。図２は、本実施例に係る貨幣処理システム１の構成を示す構成図である。図２に示すように、店舗４２０のフロント領域には、様々な商品が陳列された商品棚が設置され、このフロント領域の精算所には釣銭機２００やＰＯＳレジスタ２９０が設置される。顧客が精算所で精算処理を行う場合に、レジ担当者は、顧客から受け取った商品の代金としての貨幣を釣銭機２００に入金するとともに、釣銭としての貨幣を釣銭機２００から出金して顧客に返却する。
【００３５】
また、ＰＯＳレジスタ２９０により、顧客が購入した商品に係る情報や釣銭機２００に収納されている貨幣に係る情報等の管理が行われる。また、このような店舗４２０のバックヤード領域（例えば、入金室等が該当する）には、釣銭機２００から回収された売上金としての貨幣を入金する出納機等の貨幣入出金機１００が設置されている。また、釣銭機２００において釣銭としての貨幣が不足する場合には、貨幣入出金機１００から釣銭準備金を出金し、この貨幣入出金機１００から出金された釣銭準備金としての貨幣を釣銭機２００に補充することができる。本実施例では、かかる貨幣入出金機１００及び釣銭機２００を組み合わせることにより貨幣処理システム１が構成される。
【００３６】
また、図２に示すように、この貨幣処理システム１では、警送会社４１０の警備員等により、紙幣や硬貨が収納されている回収カセットが貨幣入出金機１００から取り出され、これらの回収カセットごと紙幣や硬貨が貨幣入出金機１００から警送会社４１０に回収される。また、警送会社４１０の警備員は、釣銭機２００で用いられる釣銭準備金を警送会社４１０から店舗４２０に運搬し、この店舗４２０に設けられた金庫４２２に収納させる。そして、貨幣入出金機１００において上記の釣銭準備金が不足した場合には、店長など所定の権限を有する店員が、金庫４２２から貨幣を取り出して貨幣入出金機１００に入金する。
【００３７】
また、図２に示すように、この貨幣処理システム１では、貨幣入出金機１００はＬＡＮ（Local Area Network）４０４を介して店舗４２０の外部に設けられたターミナル４００やユーザーサーバー４０２に通信可能に接続されており、これらのターミナル４００やユーザーサーバー４０２により、貨幣入出金機１００における貨幣の在高や、警送会社４１０の警備員等や店舗４２０のレジ担当者等の操作者の情報が管理される。
【００３８】
＜貨幣入出金機１００及び釣銭機２００の構成＞
次に、この貨幣処理システム１における貨幣入出金機１００及び釣銭機２００の構成について説明する。
【００３９】
まず、店舗４２０のバックヤード領域に設けられた貨幣入出金機１００の構成について図３〜図９を用いて説明する。図３等に示すように、本実施例に係る貨幣入出金機１００は、略直方体形状の筐体１０１を備えており、この筐体１０１の内部には、紙幣の入金処理及び出金処理を行う紙幣処理ユニット１１０、硬貨の入金処理及び出金処理を行う硬貨処理ユニット１５０、及び包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図３に示すように、紙幣処理ユニット１１０及び硬貨処理ユニット１５０は、貨幣入出金機１００を手前側から見て左右に並ぶよう配置されており、これらの紙幣処理ユニット１１０及び硬貨処理ユニット１５０の下方に包装硬貨収納ユニット１８０が配置されている。
【００４０】
図３及び図４に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図４において、筐体１０１の右側の側面が紙幣処理ユニット１１０の手前側の面であり、図４における左向きの方向が紙幣処理ユニット１１０の奥行き方向である。
【００４１】
図４に示すように、搬送部１３０は、筐体１０１の上部における中央位置に配置された周回搬送部１３０ａ及び複数の接続搬送部１３０ｂから構成されている。また、紙幣受入部１２０、紙幣払出部１２２、出金リジェクト部１２４、後述する収納カセット３００を着脱自在に装着可能なカセット装着部１２６、回収カセット１４０及び２つの紙幣収納部１３４、１３６が、それぞれ、周回搬送部１３０ａを取り囲むよう配置されている。
【００４２】
また、図４に示すように、複数の接続搬送部１３０ｂの各々により、紙幣受入部１２０、紙幣払出部１２２、出金リジェクト部１２４、カセット装着部１２６、回収カセット１４０及び２つの紙幣収納部１３４、１３６の各々と、周回搬送部１３０ａとの間がそれぞれ接続されている。また、周回搬送部１３０ａには識別部１３２が設けられており、この識別部１３２は、周回搬送部１３０ａにより搬送される紙幣の金種、真偽、正損、表裏、搬送状態等の識別を行う。
【００４３】
周回搬送部１３０ａは、図４における時計回りの方向及び反時計回りの方向の両方向に紙幣を１枚ずつ搬送することができる。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００４４】
図３及び図４に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたり、このカセット装着部１２６から収納カセット３００を取り出したりすることができる。
【００４５】
また、図７に示すように、カセット装着部１２６には、当該カセット装着部１２６に装着された収納カセット３００に付設されたＩＣタグ３０４に様々な情報を書き込む書込部１２８及びこのＩＣタグ３０４から様々な情報を読み取る読取部１２９が設けられている。書込部１２８によりＩＣタグ３０４に書き込まれる情報や読取部１２９によりＩＣタグ３０４から読み取られる情報の詳細については後述するが、このＩＣタグ３０４のメモリには収納カセット３００に収納された金種ごとの紙幣の枚数が記憶される。
【００４６】
紙幣受入部１２０には紙幣繰出機構１２１が設けられており、紙幣受入口１２０ａに１枚あるいは複数枚の紙幣が投入されたことが検知されると、紙幣繰出機構１２１が駆動されることにより、紙幣が接続搬送部１３０ｂを介して周回搬送部１３０ａ側へ１枚ずつ繰り出される。
【００４７】
紙幣払出部１２２は、各紙幣収納部１３４、１３６から周回搬送部１３０ａに繰り出された紙幣を紙幣取出口１２２ａにより筐体１０１の外部へ放出する。
【００４８】
出金リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納する。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却される。
【００４９】
各紙幣収納部１３４、１３６は、識別部１３２の識別結果に基づいて紙幣を金種別に収納する。これらの紙幣収納部１３４、１３６には、釣銭機２００への釣銭補充金の紙幣として貨幣入出金機１００から出金されるべき紙幣が収納される。例えば、紙幣収納部１３４には千円札が収納され、紙幣収納部１３６には五千円札が収納される。なお、一万円札は後述する回収カセット１４０に収納される。また、各紙幣収納部１３４、１３６には、それぞれ紙幣繰出機構１３５、１３７が設けられており、これらの紙幣収納部１３４、１３６に収納されている紙幣は、各紙幣繰出機構１３５、１３７により接続搬送部１３０ｂを介して周回搬送部１３０ａ側へ１枚ずつ繰り出される。
【００５０】
筐体１０１の内部における下部領域には回収カセット１４０が収容されており、警送会社４１０により回収されるべき紙幣が回収カセット１４０に収納される。具体的には、識別部１３２により識別された紙幣が周回搬送部１３０ａから接続搬送部１３０ｂを経て回収カセット１４０に送られる。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができる。
【００５１】
次に、硬貨処理ユニット１５０の構成について説明する。図３及び図５に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００５２】
硬貨受入部１５２は、硬貨投入口を介して受け入れた硬貨を１層１列状態で１枚ずつ筐体１０１内に取り込む。具体的には、硬貨受入部１５２には繰出ベルト等からなる硬貨繰出機構１５３（図７参照）が設けられており、硬貨受入部１５２に受け入れられた硬貨を検知するとこの硬貨繰出機構１５３が駆動されることにより、当該硬貨繰出機構１５３によって硬貨が筐体１０１の内部に１枚ずつ繰り出される。また、図５に示すように、硬貨受入部１５２には、当該硬貨受入部１５２により筐体１０１の内部に繰り出された硬貨を搬送する入金搬送部１５４が接続されている。
【００５３】
図５に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、硬貨払出部１６６から払い出されるべき硬貨（リジェクト硬貨等）を入金搬送部１５４から分岐させて出金搬送部１６２へ案内する。
【００５４】
一方、筐体１０１内に収納されるべき硬貨（正常硬貨等）は、入金搬送部１５４により各収納繰出部１６０へ搬送される。収納繰出部１６０は、硬貨を金種別に収納するとともに収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部１６０が設けられており、入金搬送部１５４の上流側（すなわち、図５における下側）から低額順に各収納繰出部１６０に硬貨が金種毎に収納される。また、収納繰出部１６０には、当該収納繰出部１６０に収納された硬貨を１枚ずつ出金搬送部１６２に繰り出す硬貨繰出機構（図示せず）が設けられている。
【００５５】
出金搬送部１６２は、収納繰出部１６０から繰り出された硬貨を硬貨払出部１６６へ搬送する。また、出金搬送部１６２は、第１分岐部１５８により入金搬送部１５４から分岐させられたリジェクト硬貨等を硬貨払出部１６６へ搬送する。
【００５６】
筐体１０１の内部における下部領域には回収カセット１７０が収容されており、警送会社４１０により回収されるべき硬貨が回収カセット１７０に収納される。具体的には、図５に示すように、出金搬送部１６２の途中箇所には第２分岐部１６４が設けられており、当該第２分岐部１６４により出金搬送部１６２から分岐させられた硬貨が回収カセット１７０に送られて、この回収カセット１７０に収納される。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができる。
【００５７】
次に、包装硬貨収納ユニット１８０の構成について説明する。図６に示すように、包装硬貨収納ユニット１８０は、包装硬貨が金種毎に収納される複数の収納領域１８０ａ〜１８０ｆが設けられた引出部１８２を有しており、当該引出部１８２は貨幣入出金機１００の筐体１０１の内部から手前側に引き出し可能である。なお、図６に示すように、各収納領域１８０ａ〜１８０ｆに包装硬貨が収納されたときに当該包装硬貨の長手方向が鉛直方向を向くようになっている。
【００５８】
そして、引出部１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができる。また、図７に示すように、包装硬貨収納ユニット１８０は、引出部１８２を筐体１０１の内部にロックするロック機構１８４が設けられており、引出部１８２が筐体１０１の内部にロックされている状態では当該引出部１８２を筐体１０１の内部から手前側に引き出すことができない。また、包装硬貨収納ユニット１８０には、引出部１８２の各収納領域１８０ａ〜１８０ｆに収納されている包装硬貨の重量を測定する重量計１８６が設けられている。このような重量計１８６により測定される包装硬貨の重量に基づいて、後述する制御部１０２において引出部１８２の各収納領域１８０ａ〜１８０ｆに収納されている包装硬貨の数が検知される。
【００５９】
なお、各収納領域１８０ａ〜１８０ｆに収納されている包装硬貨の数を検知するにあたり、重量計１８６により包装硬貨の重量を測定する代わりに、あるいは重量計１８６により包装硬貨の重量を測定することに加えて、ラインセンサまたは磁気センサを用いて各収納領域１８０ａ〜１８０ｆに収納されている包装硬貨の数を検知してもよく、あるいはこれらのラインセンサや磁気センサを組み合わせることにより各収納領域１８０ａ〜１８０ｆに収納されている包装硬貨の数を検知してもよい。また、収納領域１８０ａ〜１８０ｆ毎にラインセンサや磁気センサが設けられていてもよい。
【００６０】
また、図６に示す例では、各収納領域１８０ａ〜１８０ｆは複数の領域に区画されており、各区画には包装硬貨が１０本ずつ収納される場合を示しているが、このような例に限定されるものではない。各区画に包装硬貨が５本ずつ収納されるようになっていてもよく、あるいは各区画に包装硬貨が３本ずつ収納されるようになっていてもよく、また、異なる本数の包装硬貨が収納される複数の種類の区画が組み合わせられるようになっていてもよい。また、上記の説明では包装硬貨収納ユニット１８０が１つのみ設けられる場合について説明したが、このような例に限定されることはなく、複数の包装硬貨収納ユニット１８０が設けられるようになっていてもよい。この場合に、包装硬貨の各金種に対応するよう複数の包装硬貨収納ユニット１８０を設けてもよく、あるいは例えば２つの包装硬貨収納ユニット１８０にそれぞれ複数の金種の包装硬貨を収納させるようにしてもよい。
【００６１】
＜貨幣入出金機１００における制御系の構成＞
次に、このような貨幣入出金機１００における制御系の構成について説明する。図７は、貨幣入出金機１００における制御系の構成を示すブロック図である。図７に示すように、貨幣入出金機１００の筐体１０１の内部には制御部１０２が設けられており、当該制御部１０２により紙幣処理ユニット１１０、硬貨処理ユニット１５０及び包装硬貨収納ユニット１８０の各々の構成部位が制御される。
【００６２】
具体的には、制御部１０２には、紙幣処理ユニット１１０の紙幣繰出機構１２１、搬送部１３０、識別部１３２、紙幣繰出機構１３５、１３７、カセット装着部１２６、書込部１２８、読取部１２９等が接続されており、識別部１３２による紙幣の識別情報や、収納カセット３００に設けられたＩＣタグ３０４から読取部１２９により読み取られた情報が制御部１０２に送られるとともに、制御部１０２は紙幣処理ユニット１１０の各構成部位に指令信号を送ることにより、これらの構成部位の制御を行う。
【００６３】
また、制御部１０２には、硬貨処理ユニット１５０の硬貨繰出機構１５３、入金搬送部１５４、識別部１５６、第１分岐部１５８、各収納繰出部１６０、出金搬送部１６２及び第２分岐部１６４等が接続されており、識別部１５６による硬貨の識別情報が制御部１０２に送られるとともに、制御部１０２は硬貨処理ユニット１５０の各構成部位に指令信号を送ることにより、これらの構成部位の制御を行う。
【００６４】
また、制御部１０２には、包装硬貨収納ユニット１８０のロック機構１８４及び重量計１８６等が接続されており、重量計１８６による包装硬貨の測定結果が制御部１０２に送られるとともに、制御部１０２はロック機構１８４に指令信号を送ることにより当該ロック機構１８４の制御を行う。
【００６５】
また、図７に示すように、制御部１０２には、操作表示部１０４、リーダライタ１０４ａ、通信部１０５、記憶部１０６及び在高管理部１０７がそれぞれ接続されている。
【００６６】
操作表示部１０４は、筐体１０１の上部に設けられたタッチパネル等からなり、操作者が操作するための操作画面や、紙幣処理ユニット１１０、硬貨処理ユニット１５０及び包装硬貨収納ユニット１８０の各々に収納されている貨幣の在高に係る情報が操作表示部１０４に表示される。また、このような操作表示部１０４において操作者は操作画面における操作ボタンに指を触れることによって制御部１０２に様々な指令を入力することができる。通信部１０５は、ターミナル４００やユーザーサーバー４０２に対してＬＡＮ４０４を介して様々な信号の送受信を行うことができる。
【００６７】
リーダライタ１０４ａは、操作表示部１０４の近傍に設けられ、店員により携行されるＩＣタグ３０４ａからの釣銭補充金データの読み出しを行う。また、釣銭金補充データの削除や、他のデータの書き込みも可能である。なお、ＩＣタグ３０４ａは例えば店員用のＩＤカードに付設されている。
【００６８】
記憶部１０６には、紙幣処理ユニット１１０、硬貨処理ユニット１５０及び包装硬貨収納ユニット１８０の各々に収納されている貨幣の在高に係る情報や、貨幣入出金機１００における貨幣の処理履歴等の様々な情報が記憶される。また、貨幣入出金機１００の操作者の権限を管理する権限管理データ１０６ａも記憶部１０６に記憶される。
【００６９】
さらに、制御部１０２は、権限認証部１０２ａ、釣銭補充金データ取得部１０２ｂ及び釣銭出金処理部１０２ｃを有する。権限認証部１０２ａは、操作者の権限を認証し、権限に応じて操作を制限する処理を行う。
【００７０】
権限認証部１０２ａは、例えばリーダライタ１０４ａにより店員のＩＤカードから店員の権限を識別するデータを読み取って権限管理データ１０６ａを参照し、識別された権限に対応する操作を選択的に許可する。
【００７１】
釣銭補充金データ取得部１０２ｂは、リーダライタ１０４ａがＩＣタグ３０４ａから読み出した釣銭補充金データを取得する処理部である。釣銭出金処理部１０２ｃは、釣銭補充金データ取得部１０２ｂが釣銭補充金データを取得した場合に、釣銭補充金データに示された金種及び枚数の紙幣を収納された収納カセット３００に搬送して収納させる。また、釣銭出金処理部１０２ｃは、収納カセット３００に収納した紙幣の金種及び枚数を出金データとして収納カセット３００のＩＣタグ３０４に書き込む。なお、包装硬貨などを釣銭補充金として出金処理する場合には、収納カセット３００には収納されず、現金で出金処理することになるが、現金で出金処理した釣銭補充金についても収納カセット３００のＩＣタグ３０４に書き込む。
【００７２】
ここで、釣銭補充金データには、釣銭補充金データの書込時刻が対応付けられている。釣銭出金処理部１０２ｃは、釣銭補充金データを読み出した時刻が書込時刻から所定の時間内であること（リーダライタ１０４ａにより書込時刻が読み出された第１の時刻が、書込時刻に所定の時間を加えた第２の時刻よりも前であること）を条件として、釣銭補充金の出金処理を行う。すなわち、釣銭補充金データを読み出した時刻が書込時刻から所定の時間を超えている場合には、釣銭補充金の出金を禁止することで、不正な出金を防止するのである。
【００７３】
釣銭補充金の出金処理の後、釣銭出金処理部１０２ｃは、ＩＣタグ３０４ａの釣銭補充金データを消去し、収納カセット３００を取り出させる。このようにＩＣタグ３０４ａの釣銭補充金データを消去するのは、同一の釣銭補充金データが複数回使用されることを防止するためである。なお、釣銭補充金データに識別情報を持たせて釣銭補充金データの使用履歴を管理することで、使用済の釣銭補充金データが再使用されることを防止してもよい。
【００７４】
次に、権限管理データ１０６ａの一例を示し、操作者の権限による制限について説明する。図８は、権限管理データ１０６ａの一例を説明するための説明図である。図８に示す権限管理データ１０６ａは、操作者が「アルバイト」である場合と、操作者が「社員」である場合と、操作者が「店長」である場合と、操作者が「警送担当者」である場合とで許可する操作を異ならせている。
【００７５】
具体的には、貨幣入出金機１００への貨幣の補充を行う操作については「店長」のみ許可することとしている。また、釣銭機２００からの売上金の入金については、「警送担当者」以外に許可することとしている。また、貨幣入出金機１００からの出金に係る操作については、収納カセット３００への出金のみではなく現金による出金を含む場合には「社員」又は「店長」のみ許可することとしている。一方、収納カセット３００への出金のみで行われる出金に関しては、「社員」と「店長」に加え、「アルバイト」であっても許可することとしている。
【００７６】
また、両替を行う操作については、「社員」又は「店長」のみ許可することとしている。ここで、両替とは、貨幣入出金機１００に貨幣を入金し、同額で金種の異なる貨幣を出金する処理である。例えば、一万円札１枚を入金し、千円札を１０枚出金する処理である。両替についても、入出金が収納カセット３００を介して可能であり、現金の入出金が不要である場合には、「アルバイト」であっても許可してもよい。
【００７７】
また、回収カセット１４０に所定数の紙幣が収納された場合に回収カセット１４０を交換する操作については、「店長」のみ許可することとしている。同様に、閉店時などに行う締め処理については、「店長」のみ許可することとしている。また、紙幣収納部１３４、１３６に収納された売上金を回収カセット１４０に搬送する操作については、「店長」のみ許可することとしている。そして、警送会社４１０に運搬するための回収カセットの取出しについては、「警送担当者」のみ許可することとしている。
【００７８】
＜釣銭機２００の構成＞
次に、釣銭機２００の詳細な構成について図９〜図１３を用いて説明する。図９等に示すように、本実施例による釣銭機２００は、上下に並ぶよう配置された硬貨処理ユニット２５０及び包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置される。紙幣処理ユニット２１０及び硬貨処理ユニット２５０は、それぞれ硬貨や紙幣の入出金処理を行う。また、包装硬貨収納ユニット２８０は、各金種の包装硬貨を取り出し可能に収納する。また、ＰＯＳレジスタ２９０は、釣銭機２００の管理を行う管理装置として用いられる。
【００７９】
まず、紙幣処理ユニット２１０の構成について図９及び図１０を用いて具体的に説明する。図９及び図１０に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図１０において、筐体２１２の右側の側面が紙幣処理ユニット２１０の手前側の面であり、図１０における左向きの方向が紙幣処理ユニット２１０の奥行き方向である。
【００８０】
図１０に示すように、搬送部２３０は、筐体２１２の中央位置に配置された周回搬送部２３０ａ及び複数の接続搬送部２３０ｂから構成されている。また、紙幣受入部２２０、紙幣払出部２２２、出金リジェクト部２２４、後述する収納カセット３００を着脱自在に装着可能なカセット装着部２２６及び３つの紙幣収納部２３４、２３６、２３８が、それぞれ周回搬送部２３０ａを取り囲むよう配置されている。
【００８１】
また、図１０に示すように、複数の接続搬送部２３０ｂの各々により、紙幣受入部２２０、紙幣払出部２２２、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００８２】
周回搬送部２３０ａは、図１０における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００８３】
図９及び図１０に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより収納カセット３００をカセット装着部２２６に装着させたり、このカセット装着部２２６から収納カセット３００を取り出したりすることができる。
【００８４】
また、図１３に示すように、カセット装着部２２６には、当該カセット装着部２２６に装着された収納カセット３００に設けられているＩＣタグ３０４に様々な情報を書き込む書込部２２８及び当該ＩＣタグ３０４から様々な情報を読み取る読取部２２９がそれぞれ設けられている。
【００８５】
紙幣受入部２２０には紙幣繰出機構２２１が設けられており、紙幣受入口２２０ａに１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００８６】
紙幣払出部２２２は、各紙幣収納部２３４、２３６、２３８から周回搬送部２３０ａに繰り出された紙幣を紙幣取出口２２２ａにより筐体２１２の外部へ放出するよう構成されている。
【００８７】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２０から筐体２１２の内部に取り込まれた紙幣のうち、入金処理時において汚損等により識別部２３２で識別することができない紙幣は、入金リジェクト紙幣として紙幣払出部２２２に返却される。
【００８８】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には二千円札及び五千円札が混合状態で収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００８９】
次に、硬貨処理ユニット２５０の構成について説明する。図９及び図１１に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００９０】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図１３参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図１１に示すように、硬貨受入部２５２には、当該硬貨受入部２５２により筐体２５１の内部に繰り出された硬貨を搬送する入金搬送部２５４が接続されている。
【００９１】
図１１に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００９２】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図１１における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００９３】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００９４】
次に、包装硬貨収納ユニット２８０の構成について具体的に説明する。図９及び図１２に示すように、包装硬貨収納ユニット２８０は、手前側の側面が開口している略直方体形状の筐体２８１と、筐体２８１内に収容可能であるとともに当該筐体２８１から手前側に引き出し可能な収納ドロア２８２とを備えており、収納ドロア２８２には各金種の包装硬貨が例えば２列で収納される（図１２において、収納ドロア２８２に収納された各金種の包装硬貨を斜線で示している）。
【００９５】
ここで、収納ドロア２８２には、包装硬貨を１本ずつ収納する収納部（ポケット）が複数個形成されており、各収納部に収納される包装硬貨の金種毎の収納本数及び位置が予め設定されている。具体的には、図１２において参照符号Ａで示す領域には８本の１００円の包装硬貨が収納可能であり、参照符号Ｂで示す領域には１本の５００円の包装硬貨が収納可能であり、参照符号Ｃで示す領域には１本の５０円の包装硬貨が収納可能である。また、図１２において参照符号Ｄで示す領域には６本の１０円の包装硬貨が収納可能であり、参照符号Ｅで示す領域には４本の１円の包装硬貨が収納可能であり、参照符号Ｆで示す領域には１本の５円の包装硬貨が収納可能である。
【００９６】
また、図１３に示すように、包装硬貨収納ユニット２８０の筐体２８１の内部には、収納ドロア２８２が筐体２８１に完全に収容されたときに当該収納ドロア２８２を筐体２８１内にロックするためのロック機構２８６が設けられている。ここで、ロック機構２８６が収納ドロア２８２を筐体２８１の内部にロックしたときには、この収納ドロア２８２を筐体２８１から手前側に引き出すことができなくなり、よって収納ドロア２８２から包装硬貨を取り出すことができなくなる。
【００９７】
また、包装硬貨収納ユニット２８０の筐体２８１における前面開口の近傍には、収納ドロア２８２が筐体２８１から手前側に引き出されたり筐体２８１の内部に戻されたりする際に、当該収納ドロア２８２に収納されている包装硬貨の金種毎の本数を検知する検知部２８４が設けられている。具体的には、図１２等に示すように、検知部２８４は左右一対の光センサ２８４ａ及び筐体２８１からの収納ドロア２８２の引き出し量を検知するロータリエンコーダ２８４ｂを有している。
【００９８】
ここで、各光センサ２８４ａは、発光素子及び受光素子を有しており、発光素子から発せられた光は、包装硬貨収納ユニット２８０の幅方向（図１２における左右方向）に延びる光軸を通って受光素子に送られる。そして、収納ドロア２８２が筐体２８１の内部に完全に収容されていたり当該収納ドロア２８２が筐体２８１から完全に引き出されたりしているときには、各光センサ２８４ａにおいて発光素子から発せられた光は受光素子により受けられる。一方、収納ドロア２８２が筐体２８１から手前側に引き出されたり筐体２８１の内部に戻されたりする際に、発光素子から発せられた光が収納ドロア２８２内に収納された包装硬貨により遮られることにより受光素子に届かなくなり、このことにより包装硬貨の孔の有無や直径の大きさが検知される。
【００９９】
前述したように、収納ドロア２８２において、収納される包装硬貨の金種毎の収納本数及び位置が予め設定されているため、光センサ２８４ａにより検知された包装硬貨の孔の有無や直径の大きさ、ならびにロータリエンコーダ２８４ｂにより検知された筐体２８１からの収納ドロア２８２の引き出し量に基づいて、収納ドロア２８２に収納された包装硬貨の金種毎の本数、及び各包装硬貨が収納ドロア２８２内の所定の位置に正しく収納されているか否か等が検知される。
【０１００】
なお、本実施例による包装硬貨収納ユニット２８０は上記の構成のものに限定されることはない。他の構成の包装硬貨収納ユニット２８０において、収納ドロア２８２に収納されている包装硬貨の金種毎の本数を検知する検知部２８４として、収納ドロア２８２の収納部に収納される包装硬貨の有無及び金種（材質）を検出するセンサを全ての収納部に配置するような方式のものが用いられてもよい。
【０１０１】
＜ＰＯＳレジスタの構成＞
次に、ＰＯＳレジスタ２９０の構成について具体的に説明する。図９及び図１３に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを備えている。
【０１０２】
操作部２９４は、操作者が操作することができるようになっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。
【０１０３】
また、ＰＯＳレジスタ２９０には、カードリーダ２９６及び印字部２９７が設けられている（図１３参照、図９では図示せず）。カードリーダ２９６は、レジ担当者等の操作者が携帯するＩＤカードを読み取ることにより、当該操作者のＩＤや権限等に関する情報を取得する。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
【０１０４】
＜釣銭機２００の制御系の構成＞
次に、釣銭機２００の制御系の構成について図１３を用いて説明する。図１３に示すように、硬貨処理ユニット２５０は、上位制御部２０２及び硬貨制御部２５０ａを有しており、これらの上位制御部２０２及び硬貨制御部２５０ａは互いに接続されている。
【０１０５】
また、紙幣処理ユニット２１０は紙幣制御部２１０ａを有しており、この紙幣制御部２１０ａは硬貨処理ユニット２５０の上位制御部２０２に接続されている。また、包装硬貨収納ユニット２８０は包装硬貨制御部２８０ａを有しており、この包装硬貨制御部２８０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【０１０６】
図１３に示すように、硬貨処理ユニット２５０の上位制御部２０２には、紙幣処理ユニット２１０、包装硬貨収納ユニット２８０及びＰＯＳレジスタ２９０の各々と通信を行うための通信部２０３、操作表示部２０４、リーダライタ２０５、釣銭補充要求部２０６、釣銭補充処理部２０７及び記憶部２０８がそれぞれ接続されている。
【０１０７】
この上位制御部２０２は、通信部２０３により、紙幣処理ユニット２１０の紙幣制御部２１０ａ、包装硬貨収納ユニット２８０の包装硬貨制御部２８０ａ及びＰＯＳレジスタ２９０のＰＯＳ制御部２９１に対して信号の送受信を行う。
【０１０８】
操作表示部２０４は、硬貨処理ユニット２５０の筐体２５１の上面に設けられたタッチパネル等からなり、操作者が操作するための操作画面や、紙幣処理ユニット２１０、硬貨処理ユニット２５０及び包装硬貨収納ユニット２８０の各々に収納されている貨幣の在高に係る情報が操作表示部２０４に表示される。このような操作表示部２０４において、操作者は、操作画面における操作ボタンに指を触れることによって、上位制御部２０２に様々な指令を入力することができる。
【０１０９】
リーダライタ２０５は、操作表示部２０４の近傍に設けられ、店員により携行されるＩＣタグ３０４ａに釣銭補充金データを書き込む処理を行う。釣銭補充要求部２０６は、硬貨処理ユニット２５０及び包装硬貨収納ユニット２８０の各々に収納されている貨幣の在高に基づいて釣銭の補充が必要であるか否かを判定する。
【０１１０】
釣銭の補充が必要であると判定したならば、釣銭補充要求部２０６は、釣銭の補充が必要であることを操作者に報知する。この報知は、例えば操作表示部２０４への表示出力により行う。釣銭補充要求部２０６は、操作者から釣銭の補充を行う旨の操作を受け付けたならば、貨幣の在高から補充すべき釣銭の金種及び数量を特定して釣銭補充金データを生成する。
【０１１１】
補充の必要性の判定と、補充すべき釣銭の金種及び数量の特定は、店舗の営業時間中における貨幣の補充条件に基づいて行われる。例えば、営業の開始直後よりも営業の終了直前の方が用意すべき釣銭は少なくなる。また、来店人数や精算件数が少なければ、用意すべき釣銭は少なくなる。補充条件は、時刻、来店人数、精算件数などから、その時点で用意すべき釣銭の金種毎の数量を示すものである。補充条件は、テーブルとして記憶部２０８に記憶してもよいし、所定の算出式であってもよい。かかる補充条件を用いることで、状況に応じた適正量の貨幣を釣銭として用意することができる。
【０１１２】
釣銭補充要求部２０６は、生成した釣銭補充金データのＩＣタグ３０４ａへの書き込みをリーダライタ２０５に行わせる。このとき、リーダライタ２０５は、書込時刻を釣銭補充金データに対応付けてＩＣタグ３０４ａへの書き込みを行う。
【０１１３】
釣銭補充処理部２０７は、釣銭機２００が貨幣を収納した収納カセット３００を装着された場合に、収納カセット３００から貨幣を繰り出して収納する。また、収納カセット３００に設けられたＩＣタグ３０４から読取部２２９により読み取られた出金データに示された金種毎の枚数と、収納カセット３００から繰り出した貨幣の金種別の枚数とを比較する。
【０１１４】
また、収納カセット３００に収納されず、現金で出金された釣銭補充金に関する情報がＩＣタグ３０４から読み取った出金データに含まれていた場合には、現金での入金を受け付けるとともに、入金された貨幣の金種別の枚数をＩＣタグ３０４から出金データと比較する。
【０１１５】
例えば、包装硬貨については、包装硬貨収納ユニット２８０の収納ドロア２８２への包装硬貨の金種毎の入金本数を検知部２８４により検知し、出金データに示された包装硬貨の金種毎の本数と一致するか否かを判定することになる。
【０１１６】
出金データに示された金種別の枚数と、釣銭機２００が受け付けた貨幣の金種別枚数とが一致したならば、釣銭補充処理部２０７は、記憶部２０８に記憶された在高を更新し、釣銭機２００を用いた商品の精算処理が可能な状態に復帰する。なお、不一致となった場合には、操作表示部２０４への表示出力などにより報知を行う。この場合には、釣銭機２００を用いた商品の精算処理を停止させてもよい。また、釣銭機２００が受け付けた貨幣の金種別枚数に基づいて在高を更新し、商品の精算処理が可能な状態に復帰してもよい。
【０１１７】
記憶部２０８には、紙幣処理ユニット２１０、硬貨処理ユニット２５０及び包装硬貨収納ユニット２８０の各々に収納されている貨幣の在高に係る情報や、釣銭機２００における貨幣の処理履歴等の様々な情報が記憶される。
【０１１８】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６、書込部２２８、読取部２２９等が接続されており、識別部２３２による紙幣の識別情報や、収納カセット３００に設けられたＩＣタグ３０４から読取部２２９により読み取られた情報が紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【０１１９】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続されており、識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【０１２０】
また、包装硬貨収納ユニット２８０の包装硬貨制御部２８０ａには、通信部２８９、検知部２８４、ロック機構２８６及び記憶部２８８等が接続されており、検知部２８４による包装硬貨の検知情報が包装硬貨制御部２８０ａに送られるとともに、包装硬貨制御部２８０ａはロック機構２８６に指令信号を送ることにより当該ロック機構２８６の制御を行う。また、包装硬貨制御部２８０ａは、通信部２８９により、硬貨処理ユニット２５０の上位制御部２０２に対して信号の送受信を行う。また、包装硬貨収納ユニット２８０の収納ドロア２８２に収納されている包装硬貨の在高の情報等が記憶部２８８に記憶される。
【０１２１】
また、ＰＯＳレジスタ２９０のＰＯＳ制御部２９１には、表示部２９３、操作部２９４、記憶部２９５、通信部２９２、カードリーダ２９６、印字部２９７等がそれぞれ通信可能に接続されており、操作者により操作部２９４に入力された指令が当該操作部２９４からＰＯＳ制御部２９１に送られたり、カードリーダ２９６により読み取られたレジ担当者等の操作者のＩＤカードに係る情報がＰＯＳ制御部２９１に送られる。
【０１２２】
ＰＯＳ制御部２９１は、表示部２９３に指令を送ることにより、当該表示部２９３に様々な情報を表示させる。なお、ＰＯＳ制御部２９１は、表示部２９３に様々な情報を表示させる代わりに、あるいは表示部２９３における表示に加えて、追加の表示部２９３ａにおいて表示を行わせることもできる。
【０１２３】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【０１２４】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶される。
【０１２５】
＜収納カセット３００の構成＞
次に、貨幣入出金機１００と釣銭機２００との間で紙幣の受け渡しを行うための収納カセット３００の構成について図１４を用いて説明する。図１４に示すように、収納カセット３００は、略直方体形状のケーシング３０１を有しており、当該ケーシング３０１の内部に紙幣が積層状態で収納される。また、上述したように、収納カセット３００は貨幣入出金機１００のカセット装着部１２６及び釣銭機２００のカセット装着部２２６にそれぞれ着脱自在に装着される。
【０１２６】
また、収納カセット３００のケーシング３０１の側面には開口３０２が形成されており、収納カセット３００が貨幣入出金機１００のカセット装着部１２６や釣銭機２００のカセット装着部２２６に装着されているときに、貨幣入出金機１００の紙幣処理ユニット１１０に設けられた搬送部１３０や釣銭機２００の紙幣処理ユニット２１０に設けられた搬送部２３０から当該開口３０２を介して紙幣が収納カセット３００の内部に送られたり、収納カセット３００に収納されている紙幣が開口３０２を介して貨幣入出金機１００の紙幣処理ユニット１１０の搬送部１３０や釣銭機２００の紙幣処理ユニット２１０の搬送部２３０に繰り出されたりする。
【０１２７】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機１００のカセット装着部１２６や釣銭機２００のカセット装着部２２６に装着されているときに、貨幣入出金機１００の紙幣処理ユニット１１０側や釣銭機２００の紙幣処理ユニット２１０側から収納カセット３００の紙幣繰出機構に動力が伝達される。
【０１２８】
このように、収納カセット３００が貨幣入出金機１００のカセット装着部１２６や釣銭機２００のカセット装着部２２６から取り出された状態では当該収納カセット３００に収納されている紙幣をケーシング３０１の外部に繰り出させることができないため、収納カセット３００に収納されている紙幣のセキュリティ性を向上させることができる。
【０１２９】
また、収納カセット３００のケーシング３０１の側面にはＩＣタグ３０４が設けられている。そして、収納カセット３００が貨幣入出金機１００のカセット装着部１２６や釣銭機２００のカセット装着部２２６に装着されているときに、貨幣入出金機１００のカセット装着部１２６に設けられた書込部１２８や釣銭機２００のカセット装着部２２６に設けられた書込部２２８によりＩＣタグ３０４に様々な情報を書き込んだり、貨幣入出金機１００のカセット装着部１２６に設けられた読取部１２９や釣銭機２００のカセット装着部２２６に設けられた読取部２２９によりＩＣタグ３０４から様々な情報を読み取ったりすることができるようになっている。
【０１３０】
＜釣銭補充の処理手順＞
次に、貨幣処理システムにおける釣銭補充の処理手順について説明する。図１５は、貨幣処理システムにおける釣銭補充の処理手順を示すフローチャートである。まず、釣銭機２００の釣銭補充要求部２０６は、操作者から釣銭の補充を行う旨の操作を受け付けたならば、硬貨処理ユニット２５０及び包装硬貨収納ユニット２８０の各々に収納されている貨幣の在高を示す在高データを記憶部２０８から読み出す（ステップＳ２０１）。
【０１３１】
釣銭補充要求部２０６は、読み出した在高データから補充すべき釣銭の金種及び数量を特定して釣銭補充金データを生成し（ステップＳ２０２）、店員のＩＤカードのＩＣタグ３０４ａに釣銭補充金データを書き込む（ステップＳ２０３）。
【０１３２】
ＩＣタグ３０４ａは、店員により持参され、貨幣入出金機１００のリーダライタ１０４ａに翳される。貨幣入出金機１００の釣銭補充金データ取得部１０２ｂは、リーダライタ１０４ａを介してＩＣタグ３０４ａから釣銭補充金データを読み取る（ステップＳ１０１）。釣銭出金処理部１０２ｃは、釣銭補充金データに示された金種及び枚数の紙幣を釣銭補充金として収納カセット３００に収納する（ステップＳ１０２）。また、釣銭出金処理部１０２ｃは、収納カセット３００に収納した紙幣の金種及び枚数を出金データとして収納カセット３００のＩＣタグ３０４に書き込む（ステップＳ１０３）。
【０１３３】
その後、釣銭出金処理部１０２ｃは、ＩＣタグ３０４ａの釣銭補充金データを消去し（ステップＳ１０４）、収納カセット３００が取り外される（ステップＳ１０５）。
【０１３４】
店員は、貨幣入出金機１００から取り外した収納カセット３００を持参して釣銭機２００の所在する場所まで移動する。釣銭機２００は、店員からの操作を受けて内部に装着していた収納カセット３００の取外しを行い（ステップＳ２０４）、新たな収納カセット３００の装着を受け付ける（ステップＳ２０５）。
【０１３５】
釣銭機２００の釣銭補充処理部２０７は、装着された収納カセット３００から貨幣を繰り出して収納する（ステップＳ２０６）。また、収納カセット３００のＩＣタグ３０４から出金データを読取り（ステップＳ２０７）、収納カセット３００から繰り出した釣銭補充金と出金データの比較を行う（ステップＳ２０８）。その後、釣銭補充処理部２０７は、記憶部２０８に記憶された在高データを更新し（ステップＳ２０９）、釣銭補充に係る処理を終了する。なお、釣銭補充に係る処理の終了後、釣銭機２００は、商品の精算処理が可能な状態に復帰する。
【０１３６】
＜貨幣入出金機１００が釣銭補充金を特定する構成＞
次に、釣銭補充金の特定を貨幣入出金機１００が行う構成について説明する。これまでの説明では、釣銭機２００が在高データから補充すべき釣銭の金種と数量を特定し、釣銭補充金データを生成する構成を示したが、釣銭補充金の特定は貨幣入出金機１００で行うこととしてもよい。
【０１３７】
図１６は、貨幣入出金機１００が釣銭補充金を特定する構成の説明図である。図１６に示すように、この構成では、釣銭機２００は、自装置の内部に収納した金種ごとの在高を示す在高データをＩＣタグ３０４ａに書き込む（１）。
【０１３８】
店員は、在高データが書き込まれたＩＣタグ３０４ａを持参して貨幣入出金機１００の場所に移動する（２）。貨幣入出金機１００は、ＩＣタグ３０４ａから在高データを読み取り（３）、在高データから釣銭機２００に補充すべき釣銭の金種及び数量を特定し、釣銭補充金データを生成する（３ａ）。そして、生成した釣銭補充金データに基づいて、貨幣を収納カセット３００ａに収納する（４）。
【０１３９】
店員は、釣銭補充金が収納された収納カセット３００ａを貨幣入出金機１００から取り外し、取り外した収納カセット３００ａを持参して釣銭機２００の場所に移動する（５）。その後、店員は、釣銭機２００に装着されていた収納カセット３００ｂを取外し（６）、収納カセット３００ａを装着する（７）ことで収納カセット３００の交換を行う。釣銭機２００は、装着された収納カセット３００ａから釣銭補充金を繰り出して収納することで、釣銭の補充を行う。
【０１４０】
＜貨幣入出金機１００に釣銭補充金データを送信する構成＞
次に、貨幣入出金機１００に釣銭補充金データを送信する構成について説明する。これまでの説明では、釣銭機２００が釣銭補充金データをＩＣタグ３０４ａに書き込み、貨幣入出金機１００がＩＣタグ３０４ａから釣銭補充金データを読み取る構成について説明したが、釣銭補充金データを貨幣入出金機１００に送信する構成であってもよい。
【０１４１】
図１７は、貨幣入出金機１００に釣銭補充金データを送信する構成の説明図である。図１７に示す構成では、貨幣入出金機１００と釣銭機２００は、所定のネットワーク、例えばＬＡＮを介して通信可能に接続される。
【０１４２】
この構成では、釣銭機２００は、補充すべき釣銭の金種と数量を釣銭補充金データとして送信し（１）、貨幣入出金機１００に受信させる（２）。貨幣入出金機１００は、受信した釣銭補充金データに示された金種及び数量の貨幣を収納カセット３００ａに収納する（３）。
【０１４３】
店員は、釣銭補充金が収納された収納カセット３００ａを貨幣入出金機１００から取り外し、取り外した収納カセット３００ａを持参して釣銭機２００の場所に移動する（４）。その後、店員は、釣銭機２００に装着されていた収納カセット３００ｂを取外し（５）、収納カセット３００ａを装着する（６）ことで収納カセット３００の交換を行う。釣銭機２００は、装着された収納カセット３００ａから釣銭補充金を繰り出して収納することで、釣銭の補充を行う。
【０１４４】
上述してきたように、本実施例に係る貨幣処理システムでは、貨幣処理装置である貨幣入出金機１００は、貨幣の収納及び貨幣の繰り出しが可能な紙幣収納部１３４、１３６と、複数の釣銭機に着脱可能な収納カセット３００を装着するカセット装着部１２６と、紙幣収納部１３４、１３６内の釣銭補充金をなす貨幣を収納カセット３００に収納するよう制御する釣銭出金処理部１０２ｃとを備え、釣銭機２００は、貨幣の収納及び貨幣の繰り出しが可能な紙幣収納部２３４、２３６、２３８と、収納カセット３００を装着するカセット装着部２２６と、収納カセット３００に収納された貨幣を紙幣収納部２３４、２３６、２３８に収納するよう制御する釣銭補充処理部２０７とを備えるよう構成した。このため、店舗の営業時間中にレジが釣銭不足となるような場合に、レジにおいて精算処理ができない時間を短くしつつ、適正な金額の釣銭補充金を効率良く釣銭機に補充することができる。
【０１４５】
また、釣銭機２００は、店員が所持するＩＣタグ３０４ａ、もしくは通信を用いて釣銭補充金データを貨幣入出金機１００に通知するので、釣銭機２００は、釣銭補充金が収納された収納カセット３００ａが到着するまで収納カセット３００ｂを装着した状態を維持し、釣銭機２００の稼働が停止する時間を最小限に抑えることができる。
【０１４６】
なお、上述した貨幣処理システム、及びこのような貨幣処理システムに設けられた貨幣処理装置や釣銭機は、上述したような態様に限定されることはなく、様々な変更を加えることができる。
【０１４７】
例えば、本実施例では店員のＩＤカードにＩＣタグ３０４ａを付設し、釣銭補充金データを書き込む構成を例示したが、釣銭補充専用のカードにＩＣタグ３０４ａを付設して釣銭補充金データを書き込んでもよい。また、カードに限らず、棒状など、任意の形状の物品にＩＣタグ３０４ａを付設し、釣銭補充金データの書込に用いることができる。また、ＩＣタグに限らず、データの読み書きが可能な任意の記憶媒体を釣銭補充金データの書込に用いることができる。
【０１４８】
また、本実施例では、釣銭補充のための予備の収納カセット３００を用いる構成を例に説明を行ったが、例えば、休止中のレジの釣銭機２００から収納カセット３００を取外し、他のレジの釣銭補充金を収納するために用いてもよい。すなわち、休止中の釣銭機２００内の収納カセット３００が、稼働中の釣銭機２００に対応付けられた収納カセット３００の代理として釣銭補充金を収納することになる。この場合には、釣銭の補充後に収納カセット３００を取外し、元の釣銭機２００に戻せばよい。
【０１４９】
また、上記の実施例では、本発明を店舗のバックヤードに設けた貨幣入出金機に適用した場合を示したが、本発明はこれに限定されるものではなく、各種の貨幣処理装置に適用することができる。
【０１５０】
また、硬貨の収納及び収納されている硬貨の繰り出しを行う硬貨収納カセットが貨幣入出金機１００及び釣銭機２００にそれぞれ着脱自在に装着されるようになっていてもよい。
【０１５１】
この場合には、貨幣入出金機１００と釣銭機２００との間でこのような硬貨収納カセットにより硬貨の受け渡しを行うことができるようになるため、釣銭機２００から回収された売上金としての硬貨や貨幣入出金機１００から出金された釣銭機２００に釣銭補充金として補充されるべき硬貨を操作者の手に触れさせないようにすることができるため、セキュリティ性を高めることができる。
【産業上の利用可能性】
【０１５２】
本発明の貨幣処理システム及び釣銭補充方法は、店舗の営業時間中にレジが釣銭不足となるような場合に、レジにおいて精算処理ができない時間を短くしつつ、適正な金額の釣銭補充金を効率良く釣銭機に補充することに有用である。
【符号の説明】
【０１５３】
１        貨幣処理システム
１００    貨幣入出金機
１０１    筐体
１０２    制御部
１０２ａ  権限認証部
１０２ｂ  釣銭補充金データ取得部
１０２ｃ  釣銭出金処理部
１０４    操作表示部
１０４ａ  リーダライタ
１０５    通信部
１０６    記憶部
１０６ａ  権限管理データ
１０７    在高管理部
１１０    紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２８    書込部
１２９    読取部
１３０    搬送部
１３０ａ  周回搬送部
１３０ｂ  接続搬送部
１３２    識別部
１３４、１３６  紙幣収納部
１３５、１３７  紙幣繰出機構
１４０    回収カセット
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１８０    包装硬貨収納ユニット
２００    釣銭機
２０２    上位制御部
２０３    通信部
２０４    操作表示部
２０５    リーダライタ
２０６    釣銭補充要求部
２０７    釣銭補充処理部
２０８    記憶部
２１０    紙幣処理ユニット
２１０ａ  紙幣制御部
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２２８    書込部
２２９    読取部
２３０    搬送部
２３０ａ  周回搬送部
２３０ｂ  接続搬送部
２３２    識別部
２３４、２３６、２３８  紙幣収納部
２３５、２３７、２３９  紙幣繰出機構
２４０    通信部
２５０    硬貨処理ユニット
２５０ａ  硬貨制御部
２５２    硬貨受入部
２５３    硬貨繰出機構
２５４    入金搬送部
２５６    識別部
２５８    分岐部
２６０    収納繰出部
２６２    出金搬送部
２６６    硬貨払出部
２８０    包装硬貨収納ユニット
２８０ａ  包装硬貨制御部
２８２    収納ドロア
２８４    検知部
２８４ａ  光センサ
２８４ｂ  ロータリエンコーダ
２８６    ロック機構
２８８    記憶部
２８９    通信部
２９０    ＰＯＳレジスタ
２９１    ＰＯＳ制御部
２９２    通信部
２９３    表示部
２９４    操作部
２９５    記憶部
２９６    カードリーダ
２９７    印字部
３００、３００ａ、３００ｂ  収納カセット
３０１    ケーシング
３０２    開口
３０４、３０４ａ  ＩＣタグ
４００    ターミナル
４０２    ユーザーサーバー
４０４、４０５  ＬＡＮ
４１０    警送会社
４２０    店舗
４２２    金庫
【図１】
2017220073.tif 000003
【図２】
2017220073.tif 000004
【図３】
2017220073.tif 000005
【図４】
2017220073.tif 000006
【図５】
2017220073.tif 000007
【図６】
2017220073.tif 000008
【図７】
2017220073.tif 000009
【図８】
2017220073.tif 000010
【図９】
2017220073.tif 000011
【図１０】
2017220073.tif 000012
【図１１】
2017220073.tif 000013
【図１２】
2017220073.tif 000014
【図１３】
2017220073.tif 000015
【図１４】
2017220073.tif 000016
【図１５】
2017220073.tif 000017
【図１６】
2017220073.tif 000018
【図１７】
2017220073.tif 000019